(57)【要約】【課題】網体部を軽量で、充分な強度を有すると共に、撓みを防止して立設可能とする簡易迅速な組み立て構成とし、安全性をも確保した植物育成用金網を提供する。【解決手段】網体２が金属線３，４を縦横に配置され、縦横の金属線３，４の交差部は溶着固定されている。上下端は縦金属線３が横金属線４より突出した状態となっており、網体２の上下端又は両側端には、突出した金属線３，４が枠体５に形成した透孔６に圧入係止されている。【選択図】  図１
0003208638.tif 000002
【実用新案登録請求の範囲】
【請求項１】
網体が金属線を縦横に配置されており、縦横の金属線の交差部は溶着固定されており、上下端は縦金属線が横金属線より突出した状態となっており、網体の上下端又は両側端には、突出した金属線が枠体に形成した透孔に圧入係止されていることを特徴とする植物育成用金網。
【請求項２】
枠体が木製枠であることを特徴とする請求項１に記載の植物育成用金網。
【請求項３】
金属線を圧入係止する枠体の透孔は、中央部の径が狭く、外側へはテーパー状に広がった形状であること特徴とする請求項１又は２のいずれかに記載の植物育成用金網。
【請求項４】
枠体に圧入係止されている金属線の端部は前記枠体の透孔内に収まっていることを特徴とする請求項１乃至３のいずれかに記載の植物育成用金網。
【考案の詳細な説明】
【技術分野】
【０００１】
本考案は、植栽用ネットやネット形フェンスのように、蔓草を這わせて生育させるのに好適な蔓性植物の蔓を絡ませ保持する植物育成用金網に関するものである。
【背景技術】
【０００２】
植物の蔓を這わせ・絡ませるために、対象となる植物に関係し育成用のネットが展張されることは周知である。
【０００３】
このネットは、一般に、支柱間に張設させられるか網体か、支柱間に架設したロープ等に吊下げられる網体か、或いは周囲の枠体内に張設させられるか網体の構成を有し、ネットの素材としては高強度、低価格等の理由によりポリエチレン材が多く使用されている。
【０００４】
例えば、特開２００７−２０２４２号公報では、やや太い鋼線材で形成した外枠と、その外枠の内面を埋めるやや細い素金網とによって構成され、縦鋼線と横鋼線とを抵抗溶接して網状にした素金網の表面に、相変化物質をアクリル系塗料からなる遮熱塗膜を塗布するものが開示されている。
【０００５】
また、実開平７−１４８３９号公報では、上方が開口した長手の植物用容器の一方の長手側板の少なくとも両端部の外面に、支柱の下部を当接させて、または、容器の短側板の外面に、支柱の下部を当接させて、ボルトとナットで固定し、支柱間に網または格子を設け、容器に植物を栽培するか、または植物を栽培した容器を収納して、植物の蔓を網等に這わすか、立木を並べて、自然の植物による垂直装飾パネルを構成したものが開示されている。
【０００６】
さらに、実用新案登録第３１７００７号公報では、蔓性植物の根を保持可能な根保持部と、蔓性植物の蔓が係止可能な平板網状の蔓保持部とを備え、当該蔓保持部は、平板網状の複数の保持片と、当該複数の保持片同士の間に介在する介在片と、当該介在片と前記保持片とを回転可能に連結する連結部とを備える蔓性植物保持部材が開示されている。
【先行技術文献】
【特許文献】
【０００７】
【特許文献１】特開２００７−２０２４２号公報
【特許文献２】実開平７−１４８３９号公報
【特許文献３】実用新案登録第３１７００７号公報
【考案の概要】
【考案が解決しようとする課題】
【０００８】
本考案は、網体部を軽量で、充分な強度を有すると共に、撓みを防止して立設可能とする簡易迅速な組み立て構成とし、安全性をも確保した従来に無い新規の植物育成用金網を提供せんとするものである。
【課題を解決するための手段】
【０００９】
本考案の請求項１の植物育成用金網は、網体が金属線を縦横に配置されており、縦横の金属線の交差部は溶着固定されており、上下端は縦金属線が横金属線より突出した状態となっており、網体の上下端又は両側端には、突出した金属線が枠体に形成した透孔に圧入係止されていることを特徴とするものである。
【００１０】
請求項２の植物育成用金網の考案は、請求項１に記載の考案において、枠体が木製枠であることを特徴とするものである。
【００１１】
請求項３の植物育成用金網の考案は、請求項１又は２に記載の考案において、金属線を圧入係止する枠体の透孔は、中央部の径が狭く、外側へはテーパー状に広がった形状であること特徴とするものである。
【００１２】
請求項４の植物育成用金網の考案は、請求項１乃至３のいずれかに記載の考案において、枠体に圧入係止されている金属線の端部は前記枠体の透孔内に収まっていることを特徴とするものである。
【考案の効果】
【００１３】
請求項１の考案は、網体を金属線で構成するため強靭であり、縦横の金属線の交差部は溶着固定されているため、安定した網目状を形成し且つ維持でき、使用する金属線を細くすれば軽量化を図ることができる効果を有する。
【００１４】
また、上下端又は両側端には、突出した金属線が枠体に形成した透孔に圧入係止されているため、金属線が細く撓む場合であっても左右方向又は上下方向の強度を補強して張った状態を維持でき、加えて突き出た金属線の端部をカバーして安全性を確保する効果も発揮する。
【００１５】
請求項２の考案は、請求項１の考案の効果に加えて、枠体は木製であるため、種類も豊富で任意の材質の選択が可能で、土壌に馴染み加工も容易で着色も自在であり、取り換えも容易となる効果を有する。
【００１６】
請求項３の考案は、請求項１又は２に記載の考案の効果に加えて、金属線を圧入係止する枠体の透孔が中央部の径が狭く、外側へはテーパー状に広がった形状であるため、縦・横の位置においての左右・上下の何れの方向からでも金属線を挿入し易く、圧入した中央部の狭小部で確実に金属線を係止できる効果を有する。
【００１７】
請求項４の考案は、請求項１乃至３のいずれかに記載の考案の効果に加えて、枠体に圧入係止されている金属線の端部は枠体の透孔内に収まっているため、金属線の先端が枠体から突出することが無く、確実に安全性を確保する効果を有する。
【図面の簡単な説明】
【００１８】
【図１】本考案の一実施の形態を示す正面図である。
【図２】本考案の他の実施の形態を示す正面図である。
【図３】図１のＡ−Ａ線断面図である。
【図４】使用の一状態を示す正面図である。
【図５】図４の側面図である。
【考案を実施するための形態】
【００１９】
本考案の実施の態様を図面に基づいて説明する。
図１乃至３は、本考案の一実施の形態を示すものであり、蔓性植物の蔓を絡ませ保持する植物育成用金網１は網体２と枠体５で構成されている。
【００２０】
網体２は、同じ金属線３，４を縦横に直角に交差させて網目状に配置し、その縦横の交差部を溶着して固定されている。
金属線３，４は強靭性と形態の安定性があれば、細いほど軽量化を図られるから好都合であり、素材は鉄鋼や非鉄金属から任意に選択される。
【００２１】
枠体５には、網体２の上下端又は両側端に突出した状態となっている金属線３又は４の端部に対応して圧入係止する透孔６が連設されている。
金属線３，４の突出した端部を圧入係止する枠体５の透孔６は、中央部の径６１が狭く、外側へはテーパー状６２に広がった形状となっている。
また、中央部の径６１は金属線３，４の径より短く設計されている。
【００２２】
したがって、前記透孔６は、縦・横の位置においての左右・上下の何れの方向からでも金属線３，４の端部を挿入し易く、圧入した中央部の狭小部で確実に網体２の金属線３，４を係止できる作用を奏する。
金属線３，４を縦横に直角に交差させた網目を正方形に形成しておけば、網体２の何れの上下左右の辺へも装着することが可能である。
【００２３】
網体２は矩形に形成されており、長い方の辺と成る上下端又は両側端の何れかに、枠体５に形成した透孔６に圧入係止されている。
突出した状態となっている金属線３又は４の端部が、圧入係止された枠体５の透孔６に収まっている長さ、又は透孔６の幅を長くすることで、金属線３，４の先端が枠体から突出することが無く、確実に安全性を確保する作用を奏する。
【００２４】
枠体５は鉄鋼や非鉄金属或いは合成樹脂での成形も可能であるけれど、木製とすることで種類も豊富で任意の材質の選択が可能で、土壌に馴染み加工も容易で着色も自在であり、取り換えも容易となる作用を期待できる。
【００２５】
図４及び図５は一使用の状態を示し、２枚の植物育成用金網１，１を対向して立て掛けて立設したものであり、最上部の横金属線４同士を結着して安定を図っている。
また、単独の植物育成用金網１を、補助杭を利用して立設する使用方法も可能である。
【００２６】
以上のように、本考案を図面に基づいて説明した実施の形態における具体的構成は一例であり、同様の作用効果を得られる他の構成又は手段を排除するものではない。
【符号の説明】
【００２７】
１      植物育成用金網
２      網体
３，４  金属線
５      枠体
６      透孔
６１    中央部の径
６２    テーパー状
【図１】
0003208638.tif 000003
【図２】
0003208638.tif 000004
【図３】
0003208638.tif 000005
【図４】
0003208638.tif 000006
【図５】
0003208638.tif 000007